(57)【特許請求の範囲】
【請求項１】
攪拌容器と、
送風を行う送風部と、
前記送風部の送風方向下流側に配置され、前記攪拌容器の内部に具材を投入する具材投入部と、
前記具材投入部の具材投入時、前記具材投入部を具材収容状態から具材投入状態に変化させ、前記送風部を停止または弱運転させる制御部と
を備え、
前記具材収容状態では、前記具材投入部は、前記送風部によって生じる風を前記攪拌容器の内部に導き、
前記具材投入状態では、前記具材投入部は、前記風を前記攪拌容器の外に導く
製パン器。
【発明の詳細な説明】
【技術分野】
【０００１】
本発明は、製パン器に関する。
【背景技術】
【０００２】
過去に「レーズン等の具材入りパンの練り工程や発酵工程の途中でソレノイドを動作させて具材投入口から具材を自動的に投入する機能（以下「具材投入機能」という）を設けた製パン器」が提案されている（例えば、特開平８−２１５０５８号公報、特開平９−１１７３７５号公報および特開平１１−３４６９３０号公報等参照）。
【０００３】
また、過去に、パンの出来上がりを良好にするために、「パン材料のねかし工程中にファンを動作させ、パンケース上方に風の流れを生じさせてパンケース内の温度上昇を抑制する機能（以下「温度上昇抑制機能」という）を設けた製パン器」が提案されている（例えば、特開２０００−１１６５２６号公報等参照）。
【先行技術文献】
【特許文献】
【０００４】
【特許文献１】特開平８−２１５０５８号公報
【特許文献２】特開平９−１１７３７５号公報
【特許文献３】特開平１１−３４６９３０号公報
【特許文献４】特開２０００−１１６５２６号公報
【発明の概要】
【発明が解決しようとする課題】
【０００５】
ところで、製パン器に上述の具材投入機能および温度上昇抑制機能の両機能を搭載しようとすると、具材投入時に具材が温度上昇抑制用の風によりパンケース外に飛び散ったり、具材がパンケース内で偏ったりするおそれがある。
【０００６】
本発明の課題は、具材投入機能および温度上昇抑制機能の両機能を兼ね備えることができると共に、具材投入時に具材がパンケース外に飛び散ったり、具材がパンケース内で偏ったりするおそれを低減することができる製パン器を提供することにある。
【課題を解決するための手段】
【０００７】
本発明の第１局面に係る製パン器は、攪拌容器、送風部、具材投入部および制御部を備える。攪拌容器は、主に、容器（パンケース）と、容器の内部に配置される攪拌部とから構成される。送風部は、送風を行う。具材投入部は、送風部の送風方向下流側に配置される。そして、この具材投入部は、攪拌容器の内部に具材を投入する。なお、この具材投入部は、自動で動作させられてもよいし、手動で動作させられてもよい。また、ここで具材投入部の外装には整流部が設けられることが好ましい。制御部は、具材投入部の具材投入時、具材投入部を具材収容状態から具材投入状態に変化させ、送風部を停止または弱運転させる。そして、具材収容状態では、具材投入部は、送風部によって生じる風を攪拌容器の内部に導く。その一方、具材投入状態では、具材投入部は、風を攪拌容器の外に導く。なお、ここにいう「弱運転」とは、通常運転時の送風部の出力よりも低い出力で送風を行う運転である。また、弱運転時、送風部の出力は、具材が容器外に飛び散ったり、具材が容器内で偏ったりしない程度に十分に低下させられることが好ましい。
【０００８】
この製パン器では、制御部が、具材投入部の具材投入時、送風部を停止または弱運転させる。このため、この製パン器は、具材投入機能および温度上昇抑制機能の両機能を兼ね備えることができると共に、具材投入時に具材が容器外に飛び散ったり、具材が容器内で偏ったりするおそれを低減することができる。
【０００９】
また、この製パン器では、送風部が停止される場合、具材投入部と送風部とが同時に動作することがなく、送風部が弱運転される場合、送風部の消費電力が小さくなる。このため、この製パン器は、電源容量を小さくすることができる。
【００１０】
また、この製パン器では、具材投入部が送風部の送風方向下流側に配置されると共に、制御部が具材投入部を具材収容状態から具材投入状態に変化させる。そして、具材収容状態では具材投入部が、送風部によって生じる風を攪拌容器の内部に導き、具材投入状態では具材投入部が風を攪拌容器の外に導く。このような態様としては、例えば、（１）具材投入部が具材収容状態であるときに攪拌容器に対して送風が行われ、具材投入部が具材投入状態になったときに具材投入部によって送風方向が変更されることにより攪拌容器に送風が行われないように具材投入部の外形が設計されたり、（２）非対称構造を有する具材投入部が非反転状態であるときに攪拌容器に対して送風が行われ、その具材投入部が反転状態になったときに具材投入部によって送風方向が変更されることにより攪拌容器に送風が行われないように具材投入部の外形が設計されたりすることが考えられる。このため、この製パン器は、具材投入機能および温度上昇抑制機能の両機能を備えることができると共に、具材投入時に具材が容器外に飛び散ったり、具材が容器内で偏ったりするおそれを低減することができる。また、この製パン器では、送風部への熱の逆流を防止する効果も享受することができる。
【図面の簡単な説明】
【００１１】
【図１】本発明の第１実施形態に係る製パン器の縦断面図である。なお、本図において、具材投入装置は、具材収容状態となっている。
【図２】本発明の第１実施形態に係る製パン器の縦断面図である。なお、本図において、具材投入装置は、具材投入状態となっている。
【図３】本発明の第１実施形態および第２実施形態に係る製パン器における具材投入が行われない場合の工程タイムチャートと、具材投入が行われる場合の工程タイムチャームとの比較図である。
【図４】本発明の第１実施形態に係る製パン器の具材投入装置の斜視図である。
【発明を実施するための形態】
【００１２】
−第１実施形態−
＜本発明の第１実施形態に係る製パン器の構成＞
本発明の第１実施形態に係る製パン器１００は、図１に示されるように、主に、本体２００および蓋体３００から構成される。以下、本体２００及び蓋体３００についてそれぞれ詳述する。
【００１３】
１．本体
本体２００は、図１に示されるように、主に、外装体２１０、焼成室２１５、パンケース２２０、ヒータ２２５、攪拌機２３０、攪拌モータ２４０、温度センサ２４５、送風ファン２５０、送風ガイド２６０、制御基板２８０および表示パネル２８５から構成される。以下、これらの構成部品について詳述する。
【００１４】
（１）外装体
外装体２１０は、図１に示されるように、有底の略円筒形状を有する樹脂成形品である。
【００１５】
（２）焼成室
焼成室２１５には、図１に示されるように、パンケース２２０が着脱自在に収容されると共に、ヒータ２２５および温度センサ２４５が固定的に配置されている。
【００１６】
（３）パンケース
パンケース２２０は、有底の略角筒形状を有する金属部材であって、上述したように焼成室２１５に着脱自在に収容される。図１に示されるように、このパンケース２２０の底板中央には、攪拌羽根２３１が回転自在に取り付けられている。この攪拌羽根２３１は、後述の通り、カップリング部材２３２（後述）を介して回転シャフト２３３（後述）に連結されることが可能である。また、このパンケース２２０の内周面には、攪拌羽根２３１に向かって延びるリブ２２１が形成されている。
【００１７】
（４）ヒータ
ヒータ２２５は、図１に示されるように、焼成室２１５の下部に配置されている。そして、このヒータ２２５は、焼成室２１５にパンケース２２０が収容されると、パンケース２２０の下部の周囲を取り囲む。このヒータ２２５は、パン生地の温度調節時や、パンの焼上げ時等に制御基板２８０によって加熱される。
【００１８】
（５）攪拌機
攪拌機２３０は、図１に示されるように、主に、攪拌羽根２３１、カップリング部材２３２、回転シャフト２３３およびプーリ２３４から構成されている。攪拌羽根２３１は、上述の通り、パンケース２２０の底板中央に回転自在に取り付けられている。カップリング部材２３２は、上述の通り、攪拌羽根２３１と回転シャフト２３３とを着脱自在に連結させるために設けられている。回転シャフト２３３は、図１に示されるように、外装体２１０の底部において、回転自在に軸支されている。また、この回転シャフト２３３の下端には、プーリ２３４が取り付けられている。
【００１９】
（６）攪拌モータ
攪拌モータ２４０は、通常の電動機であって、外装体２１０の底部、回転シャフト２３３の傍らに配置されている。この攪拌モータ２４０は、回転シャフト２４２が下方に向かって延びるように設置されている。また、この回転シャフト２４２の先端部、すなわち下端部にプーリ２４３が取り付けられている。そして、このプーリ２４３と攪拌機２３０のプーリ２３４には、ベルト２３５が架け渡される。このため、攪拌モータ２４０が駆動すると、その回転駆動力は、プーリ２４３、ベルト２３５およびプーリ２３４を介して回転シャフト２３３に伝達される。そして、攪拌モータ２４０の回転駆動力が回転シャフト２３３に伝達されると、カップリング部材２３２を介して攪拌羽根２３１が回転する。
【００２０】
（７）温度センサ
温度センサ２４５は、図１に示されるように、焼成室２１５の略中央部分に配置されている。そして、この温度センサ２４５は、焼成室２１５にパンケース２２０が収容されると、パンケース２２０の上部近傍に一定の隙間を介して対向する。また、この温度センサ２４５は、制御基板２８０に通信接続されている。そして、この温度センサ２４５は、パンケース２２０近傍の温度を計測し、その計測信号を定期的に制御基板２８０に送信している。
【００２１】
（８）送風ファン
送風ファン２５０は、図１に示されるように、シロッコファンであって、焼成室２１５の傍らに配置されている。この送風ファン２５０は、制御基板２８０の制御信号に応じて、送風ガイド２６０を介して焼成室２１５に風を送り込む。なお、この送風ファン２５０は、図示しないファンモータによって駆動される。
【００２２】
（９）送風ガイド
送風ガイド２６０は、管状成形体であって、上述の通り、送風ファン２５０によって生じる風を焼成室２１５に案内する。
【００２３】
（１０）制御基板
制御基板２８０は、マイクロコンピュータ（図示せず）や、タイマー（図示せず）、表示装置（図示せず）、入力ボタン（図示せず）等を搭載する電子回路基板であって、図１に示されるように、前側上部に配置されている。そして、この制御基板２８０は、ヒータ２２５、攪拌モータ２４０、温度センサ２４５、ファンモータおよび具材投入装置３２０（後述）に通信接続されており、製パンの各工程において、入力ボタンからの入力信号、温度センサ２４５やタイマー等から入力される信号、マイクロコンピュータに導入される制御プログラム等に基づいてヒータ２２５、攪拌モータ２４０、ファンモータおよび具材投入装置３２０を適切に制御する。なお、この制御の態様については後述する。
【００２４】
（１１）表示パネル
表示パネル２８５は、制御基板２８０の上方に設けられており、制御基板２８０の表示装置の表示をユーザに視認させたり、制御基板２８０の入力ボタンの目的等をユーザに理解させたりするために設けられている。
【００２５】
２．蓋体
蓋体３００は、ヒンジ機構２０１を介して本体２００に開閉自在に接続されており、図１に示されるように、主に、外装体３１０および具材投入装置３２０から構成されている。
【００２６】
（１）外装体
外装体３１０は、図１に示されるように、浅い椀状の樹脂成形品であって、本体２００の焼成室２１５の上方を覆っている。なお、この外装体３１０では、平面視において具材投入装置３２０に対応する箇所が開閉可能な構造となっている。
【００２７】
（２）具材投入装置
具材投入装置３２０は、図１、図２および図４に示されるように、主に、固定ホッパ３２１、開閉ホッパ３２２、整流リブ３２３、ヒンジ機構３２４、開閉蓋３２５およびソレノイド（図示せず）から構成されており、外装体３１０の内側に取り付けられている。固定ホッパ３２１は、外装体３１０の内側に固定的に取り付けられている。開閉ホッパ３２２は、ヒンジ機構３２４を介して固定ホッパ３２１に開閉自在に取り付けられている。整流リブ３２３は、開閉ホッパ３２２のヒンジ機構側の反対側に固定的に取り付けられている。そして、この整流リブ３２３は、開閉ホッパ３２２が開状態（図２参照）となったときに、開閉ホッパ３２２が閉状態（図１参照）であるときと異なる方向に送風ファン２５０からの風を導くと共に、その風の整流する役割を担っている。なお、ここで、送風ファン２５０からの風は、開閉ホッパ３２２が閉状態（図１参照）であるとき、パンケース２２０に向かって流れるようになっており、開閉ホッパ３２２が開状態（図２参照）であるとき、パンケース２２０の外に向かって流れるようになっている（図１および図２中の矢印参照）。開閉蓋３２５は、図１、図２および図４に示されるように、ヒンジ機構３２６を介して固定ホッパ３２１の上部に開閉自在に取り付けられている。そして、この開閉蓋３２５は、閉状態のとき、固定ホッパ３２１の上壁Ｗ１に形成される開口ＯＰを覆っている。ソレノイドは、通電されることにより、具材投入装置３２０を具材収容状態（図１参照）から具材投入状態（図２参照）に変化させる。
【００２８】
＜本発明の第１実施形態に係る製パン器の動作＞
本発明の第１実施形態に係る製パン器１００では、通常のパンを製造する場合、図３に示されるように、１次捏ね工程、ねかし工程、２次捏ね工程、１次発酵工程、２次発酵工程および焼き工程を経て通常のパンが製造され、具材入りパンを製造する場合、図４に示されるように、１次捏ね工程、具材投入兼ねかし工程、２次捏ね工程、１次発酵工程、２次発酵工程および焼き工程を経て具材入りパンが製造される。なお、この製パン器１００では、タイマーおよびマイクロコンピュータにより各工程の時間管理が行われており、各工程の開始時点から一定時間後に次の工程が開始されるようになっている。また、具材入りパンを製造する場合、使用者は、製パン器１００を動作させる前に、外装体３１０の開閉部分および具材投入装置３２０の開閉蓋３２５を開状態とし、固定ホッパ３２１の上壁Ｗ１の開口ＯＰから具材を具材投入装置３２０の内部に投入する。その後、使用者は、具材投入装置３２０の開閉蓋３２５および外装体３１０の開閉部分を閉状態とし、製パン器１００を動作させる。以下、それぞれの場合に分けて製パン器の動作を説明する。
【００２９】
（１）通常のパンを製造する場合
使用者がパンケース２２０に小麦粉やイースト、砂糖、水等のパン原料を投入して運転開始の入力ボタンを押圧すると、１次捏ね工程が開始される。
【００３０】
１次捏ね工程では、制御基板２８０により攪拌機２３０が通常動作させられ、パン原料が攪拌羽根２３１により一定時間、捏ねられてパン生地が作製される。なお、この際、制御基板２８０により、温度センサ２４５からの計測信号に基づいてヒータ２２５の出力および送風ファン２５０の回転数が制御され、焼成室２１５内の温度が２５℃から３２℃に保たれる。
【００３１】
ねかし工程では、制御基板２８０により攪拌機２３０が停止され、一定時間、パン生地が熟成される。なお、この工程においても、制御基板２８０により、温度センサ２４５からの計測信号に基づいてヒータ２２５の出力および送風ファン２５０の回転数が制御され、焼成室２１５内の温度が２５℃から３２℃に保たれる。
【００３２】
２次捏ね工程では、第１捏ね工程と同様に、制御基板２８０により攪拌機２３０が通常動作させられ、パン生地が攪拌羽根２３１により一定時間、さらに捏ねられる。なお、この際においても、制御基板２８０により、温度センサ２４５からの計測信号に基づいてヒータ２２５の出力および送風ファン２５０の回転数が制御され、焼成室２１５内の温度が２５℃から３２℃に保たれる。
【００３３】
１次発酵工程、２次発酵工程および焼き工程では、従前の例と同様にしてヒータ２２５、攪拌モータ２４０およびファンモータが制御され、その結果、通常のパンが製造される。
【００３４】
（２）具材入りパンを製造する場合
１次捏ね工程は、通常のパンを製造する場合と同様に行われる。
【００３５】
具材投入兼ねかし工程では、制御基板２８０により攪拌機２３０が停止された後、一定時間経過後に、制御基板２８０によりソレノイドに通電が行われ、具材投入装置３２０が具材収容状態（図１参照）から具材投入状態（図２参照）となる。その結果、具材投入装置３２０に収容されるレーズン、ナッツ等の具材がパンケース２２０の内部に落下投入される。なお、このとき、上述したように、パンケース２２０に向かって送られていた風は、具材投入装置３２０の整流リブ３２３によりパンケース２２０の外に向かって送られる。また、このとき、制御基板２８０により、温度センサ２４５からの計測信号に基づいてヒータ２２５の出力および送風ファン２５０の回転数が制御され、焼成室２１５内の温度が２５℃から３２℃に保たれる。
【００３６】
２次捏ね工程は、通常のパンを製造する場合と同様に行われる。その結果、具材投入兼ねかし工程において投入された具材がパン生地の中に練り込まれる。
【００３７】
１次発酵工程、２次発酵工程および焼き工程では、従前の例と同様にしてヒータ２２５、攪拌モータ２４０およびファンモータが制御され、その結果、具材入りパンが製造される。
【００３８】
＜本発明の第１実施形態に係る製パン器の特徴＞
（１）
本発明の第１実施形態に係る製パン器１００では、具材投入兼ねかし工程において、具材投入装置３２０が具材収容状態（図１参照）から具材投入状態（図２参照）となると、パンケース２２０に向かって送られていた風が、具材投入装置３２０の整流リブ３２３によりパンケース２２０の外に向かって送られる。このため、この製パン器１００は、具材投入時に具材がパンケース２２０の外に飛び散ったり、具材がパンケース２２０の内部で偏ったりするおそれを低減することができる。また、この製パン器１００では、具材投入時に送風ファン２５０を停止させる必要がないため、送風ファン２５０への熱の逆流を防止する効果も享受することができる。
【００３９】
（２）
本発明の第１実施形態に係る製パン器１００では、パンケース内の攪拌羽根２３１がカップリング部材２３２を介して回転シャフト２３３に連結される。このため、この製パン器１００では、パンケース２２０を焼成室２１５から取り出すことができる。このため、この製パン器１００の使用者は、製パン終了後にパンケース２２０を容易に洗うことができる。
【００４０】
＜変形例＞
（Ａ）
第１実施形態に係る製パン器１００では具材投入兼ねかし工程において、具材投入装置３２０が具材収容状態から具材投入状態となると、パンケース２２０に向かって送られていた風が、具材投入装置３２０の整流リブ３２３によりパンケース２２０の外に向かって送られたが、具材投入装置３２０が具材収容状態のまま図１の左側から右側に向かって反転されることにより、送風ファン２５０からの風の向きが上記と同様に変更されてもよい。かかる場合、この具材投入装置３２０の反転動作後に、具材投入装置３２０が具材投入状態となる。なお、このような技術的思想を具現化するためには、反転用モータを蓋体３００の外装体３１０の内側に固定的に取り付け、その反転用駆動源（例えばモータ等）に具材投入装置を連結させればよい。
【００４１】
（Ｂ）
第１実施形態に係る製パン器１００では具材投入兼ねかし工程において、具材投入装置３２０が具材収容状態から具材投入状態となると、パンケース２２０に向かって送られていた風が、具材投入装置３２０の整流リブ３２３によりパンケース２２０の外に向かって送られたが、具材投入装置３２０が具材収容状態から具材投入状態となるとき又はその前に、制御基板２８０によりファンモータの駆動が停止されるか、ファンモータが弱運転されるようにしてもよい。なお、後者の場合、送風ファン２５０の出力は、具材がパンケース２２０外に飛び散ったり、具材がパンケース２２０内で偏ったりしない程度に十分に低下させられる必要がある。製パン器をこのように設計しても、第１実施形態に係る製パン器１００と同様の効果を享受することができる。また、ファンモータの駆動が停止される場合、制御基板２８０がソレノイドとファンモータに同時に通電させることがなく、ファンモータが弱運転される場合、ファンモータの消費電力が小さくなる。このため、このように製パン器１００を設計した場合、製パン器１００の電源容量を小さくすることができる。また、かかる場合、具材投入装置３２０の形態変化により送風ファン２５０からの風向を変更させる必要がなくなる。
【００４２】
また、具材投入後にファンモータを再駆動させる必要があるが、この再駆動のタイミングは、ファンモータの停止時または弱運転開始時から一定時間経過後であってもよいし、具材投入装置が具材投入状態から具材収容状態となるとき又はその後であってもよい。
【００４３】
（Ｃ）
第１実施形態に係る製パン器１００では具材入りパンを製造する場合において具材投入が具材投入兼ねかし工程中に実行されたが、具材投入は、１次捏ね工程中に実行されてもよいし、第２捏ね工程中に実行されてもよいし、発酵工程中に実行されてもよい。なお、具材投入が発酵工程中に行われる場合、その具材は、パン生地にトッピングされることになる。
【００４４】
（Ｄ）
第１実施形態に係る製パン器１００では通常のパンを製造する場合において使用者によりイースト菌（ドライイースト）がパン原料と共にパンケース２２０に投入されたが、具材投入装置３２０を用いて運転開始から所定時間経過後にイースト菌をパンケース２２０に投入するようにしてもよい。
【００４５】
（Ｅ）
第１実施形態に係る製パン器１００では具材入りパンを製造する場合において使用者によりイースト菌（ドライイースト）がパン原料と共にパンケース２２０に投入されたが、具材投入装置３２０を用いて具材と共にイースト菌をパンケース２２０に投入するようにしてもよい。
【００４６】
（Ｆ）
第１実施形態に係る製パン器１００では送風ガイド２６０の内部に特に何も配置されていなかったが、送風ガイド２６０の内部に冷却器を配置してもよい。
【００４７】
（Ｇ）
第１実施形態に係る製パン器１００では具材投入装置３２０の開閉が自動で行われたが、具材投入装置３２０の開閉が手動で行われてもよい。
【００４８】
−第２実施形態−
＜本発明の第２実施形態に係る製パン器の構成＞
本発明の第２実施形態に係る製パン器は、第１実施形態の製パン器１００の具材投入装置３２０が手動操作型であること、具材投入選択ボタン、再運転ボタンおよび報知ブザーが設けられること、焼上り時間調節機能が搭載されていること以外、第１実施形態の製パン器１００と基本的には同一である。このため、本実施形態では、第１実施形態に係る製パン器１００と同一の構成および機能については説明を省略し、相違する構成および機能についてのみ説明する。
【００４９】
＜具材投入装置＞
本発明の第２実施形態に係る具材投入装置は、蓋体３００の外装体３１０の外側に突出するように設けられる手動レバーにより開閉される。
【００５０】
＜焼上り時間調節機能＞
焼上り時間調節機能は、「具材入りパンを製造する場合の焼上り時間」を「通常のパンを製造する場合の焼上り時間」と同一にするための機能である。なお、この製パン器において、通常のパンを製造する工程は第１実施形態に示される工程と同一であり、具材入りパンを製造する工程は具材投入兼ねかし工程のみが第１実施形態に示されるものと異なる。以下、具材入りパンを製造する場合の具材投入兼ねかし工程における製パン器の動作について説明する。なお、この製パン器では、具材投入選択ボタンが使用者により選択された場合にのみ、焼上り時間調節機能が発現される。
【００５１】
製パン器が１次捏ね工程から具材投入兼ねかし工程に移行されると、制御基板２８０により攪拌機２３０が停止される。また、具材投入兼ねかし工程移行後、一定時間経過後に報知ブザーが鳴動させられる。このときのブザー音は、使用者にその時が具材の投入タイミングであることを示している。そして、この鳴動を聞いた使用者は、具材レバーを操作して具材投入装置を具材収容状態から具材投入状態とする。その後、使用者は、再運転ボタンを押圧して攪拌モータ２４０を駆動させて攪拌機を動作させる。なお、このとき、制御基板２８０により攪拌モータ２４０は、次の２次捏ね工程移行時まで通常時よりも低速で回転、すなわち弱運転させられる。また、１次捏ね工程開始時点から２次捏ね工程開始時点までの時間は、タイマーおよびマイクロコンピュータにより、通常のパンを製造する場合と同様に設定管理されている。
【００５２】
＜本発明の第２実施形態に係る製パン器の特徴＞
本発明の第２実施形態に係る製パン器では、具材投入兼ねかし工程において使用者の再運転ボタン押圧後、次の２次捏ね工程移行時まで攪拌モータ２４０が通常時よりも低速で回転させられる。このため、この製パン器では、「具材入りパンを製造する場合の焼上り時間」を「通常のパンを製造する場合の焼上り時間」と同一にすることができる。
【００５３】
＜変形例＞
（Ａ）
第２実施形態に係る製パン器では具材投入兼ねかし工程において使用者の再運転ボタン押圧後、次の２次捏ね工程移行時まで攪拌モータ２４０を通常時よりも低速で回転させたが、次の２次捏ね工程移行時まで攪拌モータ２４０を停止させたままにしてもよい。
【００５４】
（Ｂ）
第２実施形態に係る製パン器では再運転ボタンが運転ボタンとは別に設けられたが、運転ボタンが再運転ボタンの役割を兼ねてもよい。
【００５５】
（Ｃ）
第２実施形態に係る製パン器では手動操作型の具材投入装置が設けられたが、具材投入装置に代えて具材投入口が設けられるだけでもよいし、具材投入装置が省略されてもよい。なお、後者の場合、使用者は、蓋体３００を開けて自らパンケース２２０に具材を投入する。
【００５６】
（Ｄ）
第２実施形態に係る製パン器では報知ブザーにより具材の投入タイミングが報知されたが、ランプの点滅等により具材の投入タイミングが報知されてもよい。
【００５７】
（Ｅ）
第２実施形態に係る製パン器に対して、第１実施形態の変形例を適用してもよい。
【符号の説明】
【００５８】
１００      製パン器
２２０      パンケース（攪拌容器，容器）
２３０      攪拌機（攪拌部）
２５０      送風ファン（送風部）
２８０      制御基板（制御部）
３２０      具材投入装置（具材投入部）
【図１】
0006003203.tif 000002
【図２】
0006003203.tif 000003
【図３】
0006003203.tif 000004
【図４】
0006003203.tif 000005